(57)【特許請求の範囲】
【請求項１】
背板とこの背板の縁部にそれぞれ正面方向へ突き出る板部を形成した背壁と、前記背板の左右両側の板部下端から正面方向に突き出るように形成されたコ字形のスカート板と、このスカート板の左右両側および前記背壁うちの少なくとも一方の下端部に固定されて左右両側に配置された左右一対のアンカー用プレートとを有して構成され、前記アンカー用プレートを下にし背板を背にして自立可能な架台と、
前記背板に組み付けられた各種給水ポンプ機器と、
前記スカート板および前記背壁で囲まれる空間に、地上から離れた高さで、該空間を塞ぐように設けられたドレン水受け用のトレイと
を具備したことを特徴とする給水装置。
【請求項２】
前記トレイは、最下位に形成された出口部と、内底面に形成され溜まるドレン水を前記出口部へ導く傾斜面と、前記出口部と接続されて出側が所定方向に向くように配置された外部配管接続用の継手とを有して構成されることを特徴とする請求項１に記載の給水装置。
【請求項３】
前記傾斜面は、前記トレイの内底面を奥行き方向に対してＶ字形に形成され、かつ同Ｖ字形に交わる斜面部分で形成される左右方向に連続する最下位部分の両側には前記出口部がそれぞれ形成され、
これら出口部にそれぞれ前記外部配管接続用の継手が接続される
ことを特徴する請求項２に記載の給水装置。
【発明の詳細な説明】
【０００１】
【発明の属する技術分野】
本発明は、例えば家庭に給水を行う給水装置に関する。
【０００２】
【従来の技術】
アパート、マンションなどの給水システムは、屋外あるいは屋内に設置した給水装置で、各家庭に給水することが行われている。
【０００３】
こうした給水装置では、据え付け場所の制約を受けないよう、できるだけ占有床面積を小さくした装置が望まれる。
【０００４】
そこで、小占有床面積を重要視した給水装置は、奥行き寸法を狭く、高さ寸法を高くし、正面側を開口させたボックス構造のケースを用いて、このケース内に給水に必要な給水ポンプ機器、例えば複数台のポンプ、吸込側合流管、吐出側合流管、アキュームレーターなどを組み付けることが行われている。
【０００５】
【発明が解決しようとする課題】
ところが、この給水装置だと、確かに占有する床面積は小さくできるが、ボックス構造のケースを用いているので、給水装置の主要部に対するケースの重量割合は多くなる。そのうえ、このケースに、地上に据え付けるための構造が加わったり、ドレン受け構造が加わるので、給水装置全体の重量は重たくなりやすい。
【０００６】
本発明は上記事情に着目してなされたもので、その目的とするところは、小占有床面積と軽量化との双方を満足する給水装置を提供することにある。
【０００７】
【課題を解決するための手段】
上記目的を達成するために請求項１に記載した給水装置は、背板とこの背板の縁部にそれぞれ正面方向へ突き出る板部を形成した背壁と、同背板の左右両側の板部下端から正面方向に突き出るように形成されたコ字形のスカート板と、このスカート板の左右両側および背壁うちの少なくとも一方の下端部に固定されて左右両側に配置された左右一対のアンカー用プレートとを有し、アンカー用プレートを下にし背板を背にして自立可能とした架台の背板に、各種給水ポンプ機器を組み付け、スカート板および背壁で囲まれる空間に、地上から離れた高さで、該空間を塞ぐようにドレン水受け用のトレイを設けた構造とした。
【０００８】
この給水装置だと、各種給水ポンプ機器を組み付ける架台は、ほとんど背側の部材だけで形成される背壁と、この背壁の下端部から正面方向に突き出るスカート板だけで、無用な個所には壁が無い。しかも、給水装置の据付けは、必要最小な大きさの左右一対のアンカー用プレートですみ、ドレンを受ける構造も、必要最小な大きさのトレイですむので、給水装置は据え付け構造およびドレンを受ける構造があっても、軽量である。
【０００９】
しかも、縦置きの背壁に各種給水ポンプ機器を組み付けるので、従来のボックス構造と同様、必要な占有床面積は小さくてすむ。
【００１０】
それ故、小占有床面積と軽量化に優れた給水装置が提供できる。しかも、給水装置を地上に据付けたとき、架台の下端は、地上から離れて高い位置に配置されるので、架台の下端は、据付面にある水に対して濡れにくく（据付面と直に接触しないため）、架台の腐食防止の点でも優れる。そのうえ、ドレン受け用のトレイは、地上より高い位置にあるので、給水装置を屋内に設置しても、トレイの下面に付く結露水で、屋内の据付面を濡らすこともない。
【００１１】
請求項２に記載の給水装置は、さらに上記目的に加え、現地でドレン配管の施工が容易に行えるよう、最下位に形成された出口部と、内底面に形成され溜まるドレンを前記出口部へ導く傾斜面と、出口部と接続されて出側が所定方向に向くように配置された外部配管接続用の継手とを有しドレン受け用のトレイを構成した。
【００１２】
つまり、現地で継手に外部配管を接続するだけで、溜まるドレンがトレイに滞留せずに所望とする場所へ排水されるようになる。
【００１３】
請求項３に記載の給水装置は、さらに上記目的に加え、現地におけるドレン配管施工の自由度が増すよう、傾斜面を奥行き方向にＶ字形とし、かつＶ字形に交わる斜面部分で形成される左右方向に連続する最下位部分の両側に出口部をそれぞれ形成し、これら出口部にそれぞれ外部配管接続用の継手を接続して、現地での状況に合わせて、複数の出口部が使い分けられるようにした。
【００１４】
【発明の実施の形態】
以下、本発明を図１ないし図６に示す一実施形態にもとづいて説明する。
【００１５】
図１は、本発明を適用した給水装置の正面図、図２は同給水装置の正断面図、図３（ａ），（ｂ）ないし図６は図１中のそれぞれ矢視Ａ〜Ｄから見た側断面図、図５は給水装置の各部の構造を示す図を示していて、図中１は自立可能に構成された架台である。
【００１６】
この架台１は、図５に示されるように四角形の背壁２、コ字状に形成されたスカート板７、左右一対のアンカー用プレート１５を組合わせて形成してある。
【００１７】
詳しくは、背壁２は、上下方向に垂直に延びる角形の背板３と、この背板３の上部縁全体に形成された内向きの天板４（板部に相当）と、この天板４と連続する背板３の左右縁全体に形成された内向きの側板５（板部に相当）とを有して形成してある。これら三方縁にある天板４および側板５は、いずれも正面方向へ少量、例えば４０ｍｍ程度、突き出ていて、これら内向きに突き出る天板４および側板５がもたらす剛性により、プレートで形成される背壁３で、べこつきといった支障の無い、ポンプ搭載に対して十分に満足する機械的強度を確保している。また左右両方の側板５の下端部分からは、同側板５の下端と連続（面一）して、コ字形に折り曲げた帯形のプレートが正面方向に突き出ていて、背壁３の下部にコ字状のスカート板７を形成している。このスカート板７のうち一方の壁、例えば左壁には、奥行き側から順に、横方向から外部と配管取り合いをなすための吸込配管用の貫通孔９、ドレン孔１０、ケーブル孔１１が形成されている。スカート板７の右壁には、正面（手前）側から順に、横方向から外部と配管取り合いをなすための吐出配管用の貫通孔１２、ドレン孔１３が形成されている。またスカート板７の各左右側の下端と側板５の各下端には、それぞれ帯板が取着されていて、架台１の下部に左右一対のアンカー用プレート１５を形成している。但し、アンカー用プレート１５は、スカート板７と側板５（背壁２）との双方に固定するのではなく、どちらか一方に固定するようにしても構わない。これにより、架台アンカー用プレート１５を下にし背板３を背にして自立する、奥行き寸法は狭く、高さ寸法の高い架台１を構成してある。なお、各アンカー用プレート１５の板面にはアンカーボルト挿入孔１５ａ（図５のみに図示）が形成してある。
【００１８】
この架台１を形成する背板３の内面には、各種給水ポンプ機器２０が組み付けてある。すなわち、背板３の左側上段には、内部にインバータなど各種制御機器を内蔵した角箱形の制御盤２１が，ブラケット２１ａを介して組み付けられている。この制御盤２１の下側には、アキュームレーター２２が組み付けられている。また背板３の右側には、制御盤２１およびアキュームレーター２２と隣接して、縦型のポンプユニット２３が組み付けられている。
【００１９】
詳しくは、ポンプユニット２３は、上部にモーター、例えばローターに永久磁石を用いたブラシレスＤＣモーター２４（以下、単にＤＣモーター２４という）を有し、下部に同ＤＣモーター２４に直結されたポンプ部、例えば多段タービンポンプ部２５（以下、単にポンプ部という）を有して構成される縦型の多段タービンポンプ２６を、複数台、例えば２台左右方向に並行に配置し、これに吸込側合流管２７、吐出側合流管２８を組合わせて構成してある。詳しくは、ＤＣモーター２４には、全閉モーターが用いられる。同全閉モーターの上部には、冷却ファンとして、上方に在る吸込口２９ａから吸い込み、下方へ向く吹出口２９ｂからモーター本体の外周面に沿って吹き出すタイプの冷却ファン２９（図２のみに図示）が内蔵してある。多段タービンポンプ２６は、下部に在る下向きに開口するポンプ吸込口３０をもつ吸込ケーシング３１と、上部に在る正面方向に開口するポンプ吐出口３２をもつ吐出ケーシング３３（いずれも図３、図４に図示）との間に、インペラ３４を収めた複数の中間ケーシング３５を締結し、各インペラ３４とＤＣモータ２４から延びるモーター軸２４ａとを連結した構造が用いてある。これら多段タービンポンプ２６の各ポンプ吸込口３０には、メンテナンス用の開閉弁、例えばボール弁３６、左右方向に延びる吸込側合流管２７が順に着脱可能に結合、例えばフランジ接続で結合してある。吸込側合流管２７は、左側端がプラグ３７で閉止され、右側端が逆Ｌ字形を描くように曲がって下方向へ延びている。なお、吸込側合流管２７の横方向に延びる管部分２７ａには両側に凍結防止用のヒーター３８が組み付けてある。多段タービンポンプ２６の各ポンプ吐出口３２には、同吐出口３２から下方（垂直方向）へ延びるＬ形の連結管４０が連結してある。この連結管４０の上端に一体に形成されているエルボ部４０ａに、スイング式のチェッキ弁４０ｂを内蔵させてある。この連結管４０の下端に、吸込側と同じく、メンテナンス用の開閉弁、例えばボール弁４１と逆Ｌ字形を描くように曲がる吐出側合流管２８がフランジ接続で連結してある。この吐出側合流管２８の横方向に延びる管部分２８ａの左端には、吐出圧力を検出する圧力検出器１７が組み付けてある。また吐出側合流管２８の下方へ延びる管部分２８ｂは、吸込側合流管２７の下方へ延びる管部分２７ｂと向き合うように配置される。そして、これら管部分２７ｂ，２８ｂの途中が、高配水時（吸込側の圧力が目標圧力より高くとき）に吐出側へバイパスさせるバイパス部４３を介して連結してある（図４に図示）。バイパス部４３は、管部分２７ｂと管部分２８ｂとの両者間を連通するバイパス管４４と、このバイパス管４４内に収めた、吐出側合流管２８側へ向う方向のみ開く機能をもつバイパス用チェック弁４５とを有して構成してある。このバイパス用チェック弁４５からポンプ吸込側へ向う吸込側合流管２７の垂直な管部分２７ｂに、少水量停止用の流量検出器（目標水量より水量が少なくなるにしたがいポンプ停止させるためのもの）、例えばパドル式の流量検出器４６が組み込んである。なお、吐出側合流管２８の横方向に延びる管部分２８ａにも凍結防止用のヒーター４７が組み付けてある。
【００２０】
このポンプユニット２３のうち、吸込側合流管２７の管部分２７ａ（水平方向に延びる部分）の両端側には、図５に示されるように同管部分２７を挟んで側方に互い違いに張り出す矩形状の２つ支持ベース４８が形成してある。また吐出側合流管２８の管部分２８ａの端部（圧力検出器１７側）には、管部分２７ａ側へ張り出す矩形状の支持ベース４９（１個）が形成してある。
【００２１】
これに対して背板３の右側中段には、図６にも示されるようにポンプユニット据付け用の支え部材５０が取り付けてある。支え部材５０は、例えばコ字形に折り曲げた板金で形成されるサポート部材５１の一方の端部を背板３の内面に固定して、板金の両端壁５２を上下二段に配置し、両端壁５２の他方の端部を背板３の内面から突き出させた構造が用いられている。詳しくは、上下二段となる端壁５２は、上側が三角形状をなし、下側が帯形状をなしていて、いずれも架台１の天板４，側壁５の張出し長さ以上の寸法で正面方向に突き出ている。このうち上段の端壁５２の先端側と基部側とには、各支持ベース４８の位置と対応して、例えばゴム部材とばね部材とを組合わせてなる偏平矩形状の弾性部材５３が取着されている。また下段の端壁５２の先端側には、支持ベース４９の位置と対応して、同様の偏平矩形状の弾性部材５４が取着されている。
【００２２】
ポンプユニット２３は、弾性部材５３で形成される各据付座に、各支持ベース４８を載せ、弾性部材５４で形成される据付座に、支持ベース４９を載せることによって、吸込側合流管２７と吐出側合流管２８の両間隔を支持スパンとして、支え部材５０に安定した姿勢で載置させてある。そして、図３および図５に示されるように正面方向に突き出る吸込側合流管２７の支持ベース４８（１個のベースだけ）を、締結具、ボルト５０ａで支え部材５０に固定することによって、重量のあるポンプユニット２３の全体を、冷却ファン２９の吸込口２９ａが架台１の上部に配置され、多段タービンポンプ部２５につながる吸込側／吐出側の配管が下側に配置される姿勢で、安定して架台１に組み付けてある。
【００２３】
なお、ポンプユニット２３は、頭部側が弾性部材５３，５４の弾性で振れないよう、同ユニット２３の高い位置で補助的に支えてある。例えば図６に示されるように吐出ケーシング３３から突き出たブラケット５５を、背板３の内面に弾性変位可能に取り付けた支持具、例えばゴム部材などの弾性部材５６により弾性支持された支持ボルト５７で、ポンプ荷重が作用しないよう横方向から支えて、ポンプユニット２３が振れないようにしてある。
【００２４】
また支え部材５０の近傍となる背板３の内面には、例えば粘性の高いプレート状の制振材５８が取着されていて、背板３が支え部材５０から伝わるタービンポンプ２６の振動で振れない構造にしている（図３に図示）。但し、３ａは、背板３の内面に、支え部材５０の近傍を通過するよう、幅方向に連続して設けられた補強材である。
【００２５】
アキュムレーター２２も、ポンプユニット２３と同様、背板３の内面から、側板５の張出し長さ以上、正面方向に突き出る支え部材５９（例えばチャンネル部材よりなる）の先端部に、アキュームレーター２２の下部に形成した支持ベース２２ａを締結、例えばボルトで締結することによって、架台１に組み付けてある。そして、このアキュームレーター２２の出入口２２ｂが、メンテナンス用の開閉弁、例えばボール弁６０、フレキシブル管６１を介して、チェック弁４５より下流となる吐出側合流管２８の地点に接続してある。
【００２６】
一方、図６に示されるように背板３、側板４およびスカート板７で囲まれる角形の開口１ａには、同開口を塞ぐようにドレン受け用のトレイ６５が設けられる。トレイ６５は、例えば架台１の奥行き方向にＶ字状に折れ曲がったプレートを、背板３と側板５とスカート板７とがなす角形の枠内に収めて、地上から離れた高さの地点において開口１ａを塞ぎ、同プレートの周縁部を背板３、側板５およびスカート板７の内面と水密になるよう接合してなる。むろん、プレートは、外部との取り合い損わないよう貫通孔９，１２およびケーブル孔１１よりも下方の地点に組み付けてある。このトレイ６５の傾斜面６５ａで、ポンプユニット２３や配管などから滴下する結露水などのドレンを受けて、Ｖ字形の傾斜面が交わる最下部（最下位）に溜まるようにしている。これで、屋内でも給水装置が使用できる構造にしてある。なお、トレイ６５の板面には、上下方向から外部と配管取り合いをなすための吸込配管用と吐出配管用の貫通孔６６が形成してある。但し、貫通孔６６は、使用しないときはキャップ６７で塞いである。
【００２７】
またトレイ６５の左右方向に連続する最下部（最下位）の両側には、それぞれ出口孔６５ｂが形成されている。またこれら各出口孔６５ｂには、同最下部からスカート板７の左右ドレン孔１０（トレイ６１の最下部より下側にある）へドレン水を導く継手、例えばエルボ管６８が取り付けてある。外部（スカート板７の外面）に臨むエルボ管６８の端部は、通常はキャップ（図示しない）で塞がれていて、同キャップを取り外し、代わりに排水管（外部配管に相当：図示しない）を接続することにより、所望の場所にトレイ６５に溜まるドレン水が排水されるようにしてある。なお、ドレン水を排水する個所は、複数個所でなく、１個所でもよい。
【００２８】
背板３の下段には、給水ポンプ機器２０であるところの左右方向に延びる、逆流防止装置７０（中間室７０ａと同中間室７０ａを挟んで配置される一対のチャッキ弁７０ｂを組合わせたもの）を組み付けた吸込配管７１が、ポンプユニット２３のときと同様の手法で組み付けてある。なお、７０ｃは逆流防止装置７０の漏水口（逆流した水を排水させる出口）を示す。
【００２９】
すなわち、吸込配管７１は、左側から順に、下向きエルボ管７２（入側）、メンテナンス用の開閉弁７３、ストレーナー７４、逆流防止装置７０、上向きエルボ管７５（出側）を連結して構成される。そして、逆流防止装置７０の一次側となるエルボ管７２のコーナー部には、吸込圧力（水道本管の圧力）を検出する圧力検出器７２ａが組み付けてある。また吸込配管７１の側部には、左右両側に脚部７６を有するプレート７７が添設してある。但し、脚部７６は、吸込配管７１の側部から同吸込配管７１の下側へ張り出すＬ字状のプレート部分で形成してある。
【００３０】
背板３の下段の左右両側には、側板５の張出し長さ以上、正面方向に突き出る支え部材７８がそれぞれ取り付けられている。支え部材７８は、いずれも一端が背板３の内面に固定され他端がトレイ６５の上面に固定されたＬ帯形のプレートと、この各プレートの先端部上面に取付けた偏平矩形状の弾性部材７９（例えばゴム部材とばね部材とを組合わせて形成されるもの）が取着されている。
【００３１】
逆流防止装置７０を含む吸込配管７１は、図２〜図４に示されるようにこの弾性部材７９で形成される各据付座に、脚部７６を載せ、これを、締結具、例えばボルトで支え部材７８に締結することによって、背板３に組み付けてある。
【００３２】
この吸込配管７１のエルボ管７５（上向き）端は、メンテナンス用の開閉弁、例えばボール弁８０を介して、吸込側合流管２７の入口端と接続、例えばフランジ接続で着脱可能に接続されている。これで、水道本管（図示しない）に直結して使用する直結給水式増圧給水装置を構成している。なお、直結給水式でない給水装置は、吸込配管７１を取り外せばよい。
【００３３】
そして、最も凍結しやすい環境に置かれる圧力検出器７２ａの近傍、例えばエルボ管７２の側面には、凍結防止用のヒーター８１が取り付けてある。
【００３４】
この各種機器が組み付けられた架台１と、同機器を覆うポンプカバー８５とが組み合わさり、図１〜図４に示されるような奥行き寸法が狭く高さ寸法の高い、屋外仕様の給水装置を構成している。
【００３５】
具体的には、ポンプカバー８５は、内のり寸法を架台１の正面から見た外形より若干、大きくし、背面、下面の二面が開口した箱状をなしている。そして、このポンプカバー８５が、正面方向から各機器を覆うように架台１の周りに被してある。具体的には、ポンプカバー８５は、同カバー８５の上側の縁部内面が天板４と重なり、左右方向の縁部内面が左右の側板５と重なり、下部の周縁部内面がスカート板７およびそれに続く側板５部分と重なるよう、架台１の正面方向から被せて、各種機器がある領域をほぼ密閉にしている。そして、上側の縁部両側から天板４の左右方向両側に挿入される装置吊り下げ用のアイボルト８６で、ポンプカバー８５と架台１とを両者間にシール部材を挟んで締結してある。なお、８６ａは天板４，ポンプカバー８５の上縁部に形成したアイボルト用のボルト孔を示している。
【００３６】
またポンプカバー８５は、図３および図４に示されるようにタービンポンプ２６と向き合う正面壁８５ａが、連結管４０の中段付近から上方に向うにしたがいＤＣモーター２４との間が狭まる方向に傾斜していて、同傾斜部８５ｂによる空間の制限により、ＤＣモーター２４の正面側で、冷却ファン２９でのショートサーキット（吸込口２９ａからの吹出風がそのまま吹出口２９ｂに吸込まれる現象）が起きにくくしている。そして、このタービンポンプ２６と接近する傾斜部８５ｂの内面には、タービンポンプ各部からの騒音を吸収するよう吸音材８７が設けてある。
【００３７】
またポンプカバー８５の内面には、スカート板７の上端位置と同じかそれより若干上側の位置から上方の地点に渡り、逆流防止装置７０を含む吸込配管７１の周りを囲むように断熱性を有した吸音材８８が取り付けてあり、内部雰囲気が最も冷たくなる装置下部を保温すると同時に、ポンプカバー８５の下部端から内部の騒音が漏れないようにしている。
【００３８】
この他、ポンプカバー８５の内面各部には吸音材８９が取り付けられていて、ポンプカバー８５から外部へ騒音が漏れるのを防ぐ構造にしてある。さらに背板３の上部背面には、転倒防止用の金具、すなわちボルト挿入孔９０ａを有するプレート９０が取着されていて、給水装置の設置時、建物などの壁面にプレート９０を締結すれば、据え付けた給水装置が転倒しないようにしている。
【００３９】
またポンプカバー８５の正面壁８５ａの下段には、逆流防止装置７０の漏水状態を外部から目視で点検するための漏水点検用の窓９１が設けられている。また上段には、制御部２１の各種表示部２１ｂを外部から目視するための窓９２ａ，ポンプ状態を目視するための窓９２ｂが設けられている。
【００４０】
こうした給水装置を据え付けるときは、屋外あるいは屋内の据付場所に、アンカー用プレート１５をアンカーボルト９３で締結し、転倒防止用のプレート９０を架台１の裏面に添う建物の壁面などにボルト止めして給水装置を固定してから、例えばスカート板７の貫通孔９，１２を用いて、水道本管（図示しない）から分かれた水道管９４を吸込配管７１の入口に接続し、同じく吐出側合流管２８の出口を蛇口（図示しない）につながる給水配管９５に接続すればよい。
【００４１】
ここで、制御盤２１は、背板３の内面に添わせて配線されたケーブル類（図示しない）を通じて、各機器に接続されている。
【００４２】
この制御盤２１により、タービンポンプ２６のうちの片側（１台）は、吐出側の圧力検出器１７からの圧力信号から吐出圧力が目標圧力より低いことを検出すると、同目標圧力を一定に保つように運転（一定圧制御）される。つまり、タービンポンプ２６は、吸込配管７１，吸込側合流管２７を通じて吸込まれる水道管９４からの水を一定圧となるよう増圧し、この増圧した水を連結管４０，吐出側合流管２８，給水配管９５を通じて、蛇口へ供給する。
【００４３】
また使用水量が少なくなると、流量検出器４６の流量信号にしたがい、同タービンポンプ２６の回転数（能力）を低下させる。さらに所定使用水量以下になると、運転しているタービンポンプ２６を停止させ、アキュームレータ２２による給水に移る。なお、タービンポンプ２６の運転中は、ＤＣモーター２４の冷却ファン２９により、ポンプカバー８５内の各部は冷却されている。具体的には、ポンプカバー８５内の最上層の空気は、吸込口２９ａから吸込まれ、同空気が吹出口２９ｂからＤＣモーター２４のモーター本体へ沿って吹き出される。これにより、吹出風は、ＤＣモーター２４を冷却して、下部側に在る水が通過するポンプ部２５，同じく配管へと流れる。このとき、ＤＣモーター２４の冷却で温度上昇した排気流（熱風）は、給水される水で冷たくなっているポンプ部２５の外壁面、配管部材の外壁面と触れることで熱交換して冷却される。この冷却された排気流が、ポンプカバー８５内の各部に導かれて各部を冷却する。
【００４４】
また運転中、水道本管の圧力が目標圧力を超える圧力になると（高配水時）、タービンポンプ２６へ向う水が、バイパス用チェッキ弁４５を通じて、吐出側合流管２８へバイパス（短絡）される。またチェッキ弁４５とポンプ吸込口３０との間にある流量検出器４６が、タービンポンプ２６へ向う水量の減少（少水量）を検出して、タービンポンプ２６の運転を停止させる。これにより、給水装置で増圧を行わずに、直接、水道本管からの圧力水が蛇口へ導かれていく。
【００４５】
また運転中、タービンポンプ２６、各種配管、各種弁などの表面から滴下する結露水や逆流防止装置７０の漏水は、トレイ６５で受け止められる。そして、トレイ６５に溜まる。むろん、エルボ管６８に排水管（外部配管）を接続して、外部へ排出してもよい。
【００４６】
こうした給水装置だと、各種給水ポンプ機器２０を組み付ける架台１は、ほとんど背側の部材だけで形成される背壁２と、この背壁２の下端部にあるスカート板７だけであり、ボックス構造のケースのように無用な個所には壁が無い。つまり、開放部分が沢山ある架台１に、各種給水ポンプ機器２０を組み付く構造なので、軽量である。しかも、給水装置の据付けは、必要最小な大きさの一対のアンカー用プレート１５ですみ、またタービンポンプ２６，各種配管，各種弁の外表面から滴下する結露水や逆流防止装置７０（いずれも給水ポンプ機器２０）からの漏水などドレン水を受ける構造も、必要最小な大きさのトレイ６５ですむので、給水装置は据え付け構造およびドレンを受ける構造があっても軽量ですむ。
【００４７】
そのうえ、縦置きの背壁２に各種給水ポンプ機器２０を組み付けるので、従来のボックス構造と同様、必要な占有床面積は小さくてすむ。
【００４８】
それ故、小占有床面積と軽量化との双方に優れた給水装置が提供できる。
【００４９】
しかも、給水装置を地上に据付けたとき、架台１の下端は、地上から離れて高い位置に配置されるので、架台１の下端は、据付面にある水に対しては濡れにくく（据付面と直に接触しないため）、架台１の腐食防止にも優れる。そのうえ、トレイ６５は、地上より高い位置にあるので、給水装置を屋内に設置しても、トレイ６５の下面に付く結露水で、屋内の据付面を濡らすこともない。
【００５０】
またトレイ６５は、ドレンを内底面に溜まるだけでなく、内底面の傾斜面６５ａ、最下位にある出口孔６５ａを通じて、継手であるエルボ管６８からトレイ外へ導く構造にしてあるから、現地でエルボ管６８に排水管（図示しない）を接続するだけで、溜まるドレンがトレイ６５に滞留せずに所望とする場所へ排水することができる。つまり、容易にドレン配管の施工を行うことができる。そのうえ、Ｖ字形の傾斜面６５ａと同傾斜面６５ａで形成される最下部の両側にそれぞれ継手であるエルボ管６８を接続したので、エルボ管６８の選択により、現地での状況に合わせて、複数の出口孔６５ａを使い分けて配管施工を行うことができ、現地におけるドレン配管施工の自由度を増すことができる。しかも、架台１の奥行き方向にＶ字形に傾斜する傾斜面６５ａの採用により、トレイ自体を変更せずに、全く正反対の向きに、すなわち左右方向にエルボ管６８を複数、設置ができる利点もある。
【００５１】
なお、上述した一実施形態では、直結給水式の給水装置を例に挙げているが、これに限らず、逆流防止装置の無い給水装置でも構わない。
【００５２】
また一実施形態では、トレイにエルボ管を組合わせた例を挙げたが、これに限らず、他の継手を用いて、トレイに溜まるドレンを外部に排水させるようにしてもよい。
【００５３】
【発明の効果】
以上説明したように請求項１に記載の発明によれば、各種給水ポンプ機器を組み付ける架台は、ほとんど背側の部材だけで形成される背壁と、この背壁の下端部から正面方向に突き出るスカート板だけで、無用な個所には壁が無く、給水装置の据付けは、必要最小な大きさの左右一対のアンカー用プレートですみ、ドレンを受ける構造も、必要最小な大きさのトレイですむ。
【００５４】
これにより、給水装置は据え付け構造およびドレンを受ける構造があっても、軽量である。しかも、縦置きの背壁に各種給水ポンプ機器を組み付けるので、従来のボックス構造と同様、必要な占有床面積は小さくてすむ。
【００５５】
したがって、小占有床面積と軽量化に優れた給水装置が提供できる。しかも、給水装置を地上に据付けたとき、架台の下端は、地上から離れて高い位置に配置されるので、架台の下端は、据付面にある水に対して濡れにくく、架台の腐食防止の点でも優れる。そのうえ、ドレン受け用のトレイは、地上より高い位置にあるので、給水装置を屋内に設置しても、トレイの下面に付く結露水で、屋内の据付面を濡らすこともない。
【００５６】
請求項２に記載の発明によれば、さらに上記効果に加え、現地で継手に外部配管を接続するだけで、溜まるドレンをトレイに滞留させずに所望とする場所へ排水でき、現地におけるドレン配管の施工が容易になるといった効果を奏する。
【００５７】
請求項３に記載の発明によれば、さらに上記効果に加え、継手の選択により、容易に現地での状況に合わせて、複数の出口部を使い分けて配管施工を行うことができ、現地におけるドレン配管施工の自由度を増すことができる。しかも、トレイには、架台の奥行き方向にＶ字形に傾斜する傾斜面を用いたので、トレイ自体を変更せずに、簡単に全く正反対の向きに継手を設置ができるといった効果を奏する。
【図面の簡単な説明】
【図１】本発明の一実施形態に係る給水装置の正面図。
【図２】同給水装置のポンプカバーを断面した正面図。
【図３】（ａ）は図２中のＡ−Ａに沿う側断面図。
（ｂ）は図２中のＢ−Ｂに沿う側断面図。
【図４】図２中のＣ−Ｃに沿う側断面図。
【図５】図２中のＤ−Ｄに沿う平断面図。
【図６】給水ポンプの全体の構造を説明するための分解斜視図。
【符号の説明】
１…架台
２…背壁
３…背板
４，５…天板，側板（板部）
７…スカート板
１５…アンカー用プレート
２０…給水ポンプ機器
２２…アキュームレーター
２６…タービンポンプ
２７…吸込側合流管
２８…吐出側合流管
４８，４９…支持ベース
５０，５８，７８…支え部材
６５…ドレン受け用のトレイ
６５ａ…傾斜面
６５ｂ…出口孔（出口部）
６８…エルボ管（継手）
７１…吸込配管
８５…ポンプカバー。
【図１】
0004263813.tif 000002
【図２】
0004263813.tif 000003
【図３】
0004263813.tif 000004
【図４】
0004263813.tif 000005
【図５】
0004263813.tif 000006
【図６】
0004263813.tif 000007